(57)【要約】【課題】パーソナルコンピューターに複数台のインクジェットプリンターが接続された印刷システムの生産性を高めること。【解決手段】複数のプリンター１１，１２，１３，１４，１５の色合わせを可能とする印刷システム１であって、基準となるプリンター１１と他のプリンター１２，１３，１４，１５との特性の差から求められた他のプリンター１２，１３，１４，１５の色変換テーブル５０を記憶する記憶部１１４と、記憶部１１４に記憶された色変換テーブル５０により印刷データの色を補正する制御部１１３と、を有することを特徴とする。【選択図】図１
2016139223.tif 000002
【特許請求の範囲】
【請求項１】
複数の記録装置の色合わせを可能とする印刷システムであって、
基準となる記録装置と各記録装置との特性の差から求められた前記各記録装置の補正値を記憶する記憶部と、
前記記憶部に記憶された前記補正値により印刷データの色を補正する制御部と、
を有することを特徴とする印刷システム。
【請求項２】
前記基準となる記録装置は、前記複数の記録装置に含まれていることを特徴とする請求項１に記載の印刷システム。
【請求項３】
前記基準となる記録装置は、前記複数の記録装置以外の記録装置であることを特徴とする請求項１に記載の印刷システム。
【請求項４】
前記各記録装置の印刷を制御する印刷制御装置を含み、
前記制御部は、前記印刷制御装置が有することを特徴とする請求項１乃至３のいずれか１項に記載の印刷システム。
【請求項５】
前記各記録装置の印刷を制御する印刷制御装置を含み、
前記記憶部は、前記印刷制御装置が有することを特徴とする請求項１乃至３のいずれか１項に記載の印刷システム。
【請求項６】
前記各記録装置の印刷を制御する印刷制御装置を含み、
前記記憶部は、前記印刷制御装置が接続可能なサーバーが有することを特徴とする請求項１乃至３のいずれか１項に記載の印刷システム。
【請求項７】
複数の記録装置の色合わせを可能とする印刷方法であって、
基準となる記録装置と各記録装置との特性の差から求められた前記各記録装置の補正値を記憶する工程と、
記憶された前記補正値により印刷データの色を補正する工程と、
を有することを特徴とする印刷方法。
【請求項８】
前記補正値は、前記基準となる記録装置で出力される色との差分を補正するものであることを特徴とする請求項７に記載の印刷方法。
【請求項９】
前記補正値は、特定の色に基づいて求められることを特徴とする請求項７または８に記載の印刷方法。
【請求項１０】
前記補正する工程では、前記印刷データに含まれる一部の色を補正することを特徴する請求項７乃至９のいずれか１項に記載の印刷方法。
【請求項１１】
前記補正する工程では、前記各記録装置が設置されている場所の環境情報を加えて補正することを特徴とする請求項７乃至１０のいずれか１項に記載の印刷方法。
【請求項１２】
前記補正する工程では、印刷に使用する媒体の情報を加えて補正することを特徴とする請求項７乃至１１のいずれか１項に記載の印刷方法。
【発明の詳細な説明】
【技術分野】
【０００１】
本発明は、印刷システム及び印刷方法に関する。
【背景技術】
【０００２】
従来から、ディスプレイに表示された画像データの色とプリンターで媒体に印刷された画像の色とが一致するように、カラープロファイルを用いて画像の色を調整する色調整装置を有する印刷システムが知られている（特許文献１）。
【０００３】
特許文献１に記載の印刷システムでは、パーソナルコンピューターとインクジェットプリンターとが、１対１に接続されている。パーソナルコンピューターが、調整画像データ（調整印刷データ）を生成する色調整装置、及び調整画像をインクジェットプリンターに印刷させる印刷制御装置を構成する。色調整装置は、パーソナルコンピューターの表示部で目的の色となるように調整した後、その色を中心とする微妙に異なる色を印刷して最終的に色調整を完成させる。印刷制御装置は、色調整を行った調整画像データ（調整印刷データ）に基づき、調整画像をインクジェットプリンターに印刷させる。
【先行技術文献】
【特許文献】
【０００４】
【特許文献１】特開２００４−２８２１５６号公報
【発明の概要】
【発明が解決しようとする課題】
【０００５】
ところが、ポスターなどの最終成果物（製品）を多数印刷する場合、パーソナルコンピューターとインクジェットプリンターとが１対１に接続された構成の印刷シスステムでは、印刷時間が長くなり、印刷の生産性が悪くなるという課題があった。さらに、パーソナルコンピューターに複数台のインクジェットプリンターが接続された構成の印刷システムにおいて、特許文献１に記載の方法で複数台のインクジェットプリンターのそれぞれで色調整を行うと、色調整に長時間必要となるため、印刷の生産性が悪くなるという課題があった。
【課題を解決するための手段】
【０００６】
本発明は、上述の課題の少なくとも一部を解決するためになされたものであり、以下の形態または適用例として実現することが可能である。
【０００７】
［適用例１］本適用例に係る印刷システムは、複数の記録装置の色合わせを可能とする印刷システムであって、基準となる記録装置と各記録装置との特性の差から求められた前記各記録装置の補正値を記憶する記憶部と、前記記憶部に記憶された前記補正値により印刷データの色を補正する制御部と、を有することを特徴とする。
【０００８】
本適用例では、印刷システムが複数の記録装置を有しているので、印刷システムが単数の記録装置を有する場合と比べて、印刷の生産性を高めることができる。さらに、基準となる記録装置と各記録装置との特性の差から、複数の記録装置に対する色合わせの同時処理または連続処理が可能になるので、複数の記録装置に対してそれぞれで色合わせを実施する場合と比べて、色合わせの工数を短くし、印刷の生産性を高めることができる。
【０００９】
［適用例２］上記適用例に係る印刷システムは、前記基準となる記録装置は、前記複数の記録装置に含まれていることが好ましい。
【００１０】
本適用例では、複数の記録装置のうちの１台を基準となる記録装置とし、当該基準となる記録装置と他の複数の記録装置との特性の差から求めた補正値によって、他の複数の記録装置に対する色合わせの同時処理または連続処理が可能になるので、他の複数の記録装置に対してそれぞれで色合わせを実施する場合と比べて、色合わせの工数を短くし、印刷の生産性を高めることができる。
【００１１】
［適用例３］上記適用例に係る印刷システムは、前記基準となる記録装置は、前記複数の記録装置以外の記録装置であることが好ましい。
【００１２】
本適用例では、複数の記録装置以外の記録装置を基準となる記録装置とし、基準となる記録装置と複数の記録装置との特性の差から求めた補正値によって、複数の記録装置に対する色合わせの同時処理または連続処理が可能になるので、複数の記録装置に対してそれぞれで色合わせを実施する場合と比べて、色合わせの工数を短くし、印刷の生産性を高めることができる。
【００１３】
［適用例４］上記適用例に係る印刷システムは、前記各記録装置の印刷を制御する印刷制御装置を含み、前記制御部は、前記印刷制御装置が有することが好ましい。
【００１４】
例えば、パーソナルコンピューターを印刷制御装置とし、当該パーソナルコンピューターが印刷データの色を補正する制御部を含むと、当該パーソナルコンピューターは印刷データの色を補正した後に各記録装置の印刷を制御するので、補正した色に基づく印刷を効率的に処理することができる。
【００１５】
［適用例５］上記適用例に係る印刷システムは、前記各記録装置の印刷を制御する印刷制御装置を含み、前記記憶部は、前記印刷制御装置が有することが好ましい。
【００１６】
例えば、パーソナルコンピューターを印刷制御装置とし、当該パーソナルコンピューターが基準となる記録装置と各記録装置との特性の差から求められた各記録装置の補正値を記憶する記憶部を含むと、当該パーソナルコンピューターが各記録装置の補正値によって適正な色補正処理を行った後に各記録装置の印刷を制御するので、補正した色に基づく印刷を効率的に処理することができる。
【００１７】
［適用例６］上記適用例に係る印刷システムは、前記各記録装置の印刷を制御する印刷制御装置を含み、前記記憶部は、前記印刷制御装置が接続可能なサーバーが有することが好ましい。
【００１８】
基準となる記録装置と各記録装置との特性の差から求められた各記録装置の補正値を、サーバーの記憶部に記憶させると、サーバーに他の印刷システムから取得された補正値を蓄積することが可能になる。従って、サーバーの記録部に豊富な（多様な）補正値が蓄積され、より適正な色補正処理を行うことができる。
【００１９】
［適用例７］本適用例に係る印刷方法は、複数の記録装置の色合わせを可能とする印刷方法であって、基準となる記録装置と各記録装置との特性の差から求められた前記各記録装置の補正値を記憶する工程と、記憶された前記補正値により印刷データの色を補正する工程と、を有することを特徴とする。
【００２０】
基準となる記録装置と各記録装置（複数の記録装置）との特性の差から求められた補正値を記憶し、当該記憶された補正値により各記録装置（複数の記録装置）の印刷データの色を補正することによって、複数の記録装置に対する色合わせの同時処理または連続処理が可能になるので、複数の記録装置に対してそれぞれで色合わせを実施する場合と比べて、色合わせの工数を短くし、印刷の生産性を高めることができる。
【００２１】
［適用例８］上記適用例に係る印刷方法は、前記補正値は、前記基準となる記録装置で出力される色との差分を補正するものであることが好ましい。
【００２２】
基準となる記録装置で出力される色との差分に基づき補正値を取得し、基準となる記録装置以外の複数の記録装置の印刷データの色を補正することによって、基準となる記録装置以外の複数の記録装置に対する色合わせの同時処理または連続処理が可能になるので、基準となる記録装置以外の複数の記録装置に対してそれぞれで色合わせを実施する場合と比べて、色合わせの工数を短くし、印刷の生産性を高めることができる。
【００２３】
［適用例９］上記適用例に係る印刷方法は、前記補正値は、特定の色に基づいて求められることが好ましい。
【００２４】
特定の色に関する補正値を求め、さらに特定の色以外の色の補正値を類推することによって、多様な色に関する補正を効率的に行うことができる。
特に色再現が要求される色に基づく補正値を取得することで、必要な色に関して十分な補正を行うことができる。
【００２５】
［適用例１０］上記適用例に係る印刷方法は、前記補正する工程では、前記印刷データに含まれる一部の色を補正することが好ましい。
【００２６】
例えば、コーポレートカラーのように厳密に（高精度に）色の補正が要求される画像と、厳密に色の補正が要求されない画像とが存在する場合、厳密に色の補正が要求される画像だけに色補正処理を行うことによって（一部の色の補正を行うことによって）、全体の色の補正を行う場合と比べて、効率的に色補正処理を行うことができる。
【００２７】
［適用例１１］上記適用例に係る印刷方法は、前記補正する工程では、前記各記録装置が設置されている場所の環境情報を加えて補正することが好ましい。
【００２８】
例えば、温度や湿度などの環境条件によって色の状態が変化する場合、温度や湿度などの環境情報を加えて色補正処理を行うと、温度や湿度などの環境条件に影響されず、より適正に色補正処理を行うことができる。
【００２９】
［適用例１２］上記適用例に係る印刷方法は、前記補正する工程では、印刷に使用する媒体の情報を加えて補正することが好ましい。
【００３０】
例えば、媒体の種類によって色の状態が変化する場合、媒体の情報を加えて色補正処理を行うと、媒体の種類によって影響されず、より適正に色補正処理を行うことができる。
【図面の簡単な説明】
【００３１】
【図１】実施形態１に係る印刷システムの全体構成を示す概略図。
【図２】色変換テーブルを作成する処理のフロー図。
【図３】色可変チャートの一例を示す図。
【図４】色変換テーブルの一例を示す図。
【図５】画像データを作成するフロー図。
【図６】他のプリンターの色補正処理のフロー図。
【図７】実施形態２に係る印刷システムの全体構成を示す概略図。
【図８】画像データベースの一例を示す図。
【発明を実施するための形態】
【００３２】
以下、図面を参照して、本発明の実施形態について説明する。かかる実施形態は、本願の一態様を示すものであり、本発明を限定するものではなく、本願の技術的思想の範囲内で任意に変更可能である。
【００３３】
（実施形態１）
「印刷システムの概要」
図１は、実施形態１に係る印刷システムの全体構成を示す概略図である。
本実施形態に係る印刷システム１は、１台のパーソナルコンピューター（以降、ＰＣと称す）１００に複数のインクジェット式プリンター（以降、プリンターと称す）が接続され、複数のプリンターのそれぞれで同じ色合い（同じ色）の画像が印刷されたポスターなどの最終成果物（製品）を製造（印刷）することができる。
以降、説明の簡略化のため、１台のＰＣ１００に５台のプリンターが接続されているものとする。なお、１台のＰＣに接続されるプリンターの数は、５台よりも多くてもよく、５台よりも少なくてもよい。
【００３４】
図１に示すように、本実施形態に係る印刷システム１では、ＰＣ１００と５台のプリンター１１，１２，１３，１４，１５とが、ローカルエリアネットワーク（ＬＡＮ）などのネットワーク２０を介して接続され、複数のプリンター１１，１２，１３，１４，１５の色合わせを可能とする印刷システムである。つまり、印刷システム１では、目標とする色と、プリンター１１，１２，１３，１４，１５が印刷媒体（媒体）に印刷する画像の色とが一致するように、印刷データの色補正処理（色合わせ）がなされる。さらに、印刷システム１では、複数のプリンター１１，１２，１３，１４，１５のそれぞれで、同時または連続的に色合わせを行い、同じ色の画像を同時または連続的に印刷することができ、ポスターなどの最終成果物を効率的に（高い生産性で）製造することができる。
なお、プリンター１１，１２，１３，１４，１５は、「記録装置」の一例である。ＰＣ１００は、「印刷制御装置」の一例である。
【００３５】
媒体には、例えば紙、樹脂フィルム、金属フィルム、樹脂フィルムと金属フィルムとの複合体（ラミネートフィルム）、織物、不織布、及びセラミックシートなどを使用することができる。
【００３６】
ＰＣ１００は、表示部１１２、制御部１１３、及び記憶部１１４などを有している。
制御部１１３は、印刷データを作成し、プリンター１１，１２，１３，１４，１５に印刷を指令するアプリケーションソフトウエア（プリンタードライバー）を備えている。制御部１１３（プリンタードライバー）は、記憶部１１４に記憶された補正値の一例である色変換テーブル５０（図４参照）により印刷データの色を補正する。
つまり、プリンター１１，１２，１３，１４，１５の印刷を制御する制御部１１３は、ＰＣ１００が有する。
【００３７】
記憶部１１４は、ハードディスク、フラッシュメモリー等から構成される。詳細は後述するが、記憶部１１４には、基準となるプリンターと他のプリンターとの特性の差から色の補正値を取得可能な色変換テーブル５０が記憶（格納）されている。さらに、記憶部１１４には、色可変チャート６０（図３参照）を作成するための色可変チャート生成テーブルが記憶されている。
つまり、基準となるプリンターと他のプリンターとの特性の差から色の補正値を取得可能な色変換テーブル５０が記憶された記憶部１１４は、ＰＣ１００が有する。
【００３８】
プリンター１１，１２，１３，１４，１５は、液体噴射ヘッド、キャリッジ機構、搬送部などを備えている。液体噴射ヘッドは、例えばＣ（シアン）、Ｍ（マゼンタ）、Ｙ（イエロー）、Ｋ（ブラック）などのインクをノズルから液滴として吐出し、媒体にドットを形成する。キャリッジ機構は、液体噴射ヘッドを搭載するキャリッジを備え、キャリッジとともに液体噴射ヘッドを搬送方向と交差する走査方向に移動させる。搬送部は、複数のローラーを有し、媒体を搬送方向に搬送する。
【００３９】
プリンター１１，１２，１３，１４，１５は、液体噴射ヘッド（ノズル）がインクを液滴として吐出し走査方向にドットの列（ラスターライン）を形成する動作と、搬送部が搬送方向に媒体を搬送する動作とを交互に繰り返し、複数のラスターラインを搬送方向に並べることで、所定の画像を媒体に印刷する。
【００４０】
例えば、ノズルや搬送ローラーなどに製造誤差（加工公差）が生じた場合、ドットの大きさやドットの形成位置が５台のプリンター１１，１２，１３，１４，１５のそれぞれで異なる場合があり、５台のプリンター１１，１２，１３，１４，１５のそれぞれで印刷される画像の色合いが変化することがある。さらに、インクの種類、媒体の種類、及び温度や湿度などの環境条件などが異なった場合、媒体に形成されるドットの状態が変化することで、印刷された画像の色合いが変化することがある。
【００４１】
このように５台のプリンター１１，１２，１３，１４，１５のそれぞれで印刷特性が異なるため、印刷システム１では、５台のプリンター１１，１２，１３，１４，１５のそれぞれで同じ色の画像が印刷されるように、５台のプリンター１１，１２，１３，１４，１５のそれぞれで色補正処理（色合わせ）がなされる。
以下に、その詳細を説明する。
【００４２】
「色変換テーブルの作成」
図２は、色変換テーブルを作成する処理のフロー図である。図３は、色可変チャートの一例を示す図である。図４は、色変換テーブルの一例を示す図である。
まず、図２乃至図４を参照し、色変換テーブル５０を作成する処理について説明する。
【００４３】
図２に示すように、色変換テーブル５０を作成する処理は、色可変チャートを印刷する工程（ステップＳ１）と、印刷された色可変チャート６０と色見本とを比較する工程（ステップＳ２）と、色変換テーブル５０を作成する工程（ステップＳ３）とを含む。
【００４４】
ステップＳ１では、色可変チャート生成テーブルに基づき、５台のプリンター１１，１２，１３，１４，１５のそれぞれで、色可変チャート６０を媒体に印刷する。
【００４５】
図３に示すように、色可変チャート６０は、特定カラーパッチＳＣと、特定カラーパッチＳＣの周囲に配置された複数の周囲カラーパッチＧＣとからなる。
特定カラーパッチＳＣは、色補正を行うための基準となる基準色Ｓ１で印刷されたカラーパッチである。周囲カラーパッチＧＣは、プリンター１１，１２，１３，１４，１５で印刷可能な基準色Ｓ１に対する近似色Ｇ１〜Ｇ１８で印刷されたカラーパッチである。色可変チャート６０では、例えばＬａｂ色空間における基準色Ｓ１との距離が小さい近似色（基準色に近い色）で印刷された周囲カラーパッチＧＣが特定カラーパッチＳＣの近くに配置され、Ｌａｂ色空間における基準色Ｓ１との距離が大きい近似色で印刷された周囲カラーパッチＧＣが特定カラーパッチＳＣの遠くに配置されている。
【００４６】
図３では、カラーパッチＳＣ，ＧＣが円で示され、特定カラーパッチＳＣの基準色Ｓ１及び周囲カラーパッチＧＣの色Ｇ１〜Ｇ１８が円の中に記入されている。
【００４７】
特定カラーパッチＳＣに印刷される基準色Ｓ１は、例えば、パントーン（登録商標）色見本やＤＩＣカラーガイド（登録商標）など、規定の色見本などから選択された規定シアンＣ、規定マゼンタＭ、規定イエローＹ、規定レッドＲ、規定グリーンＧ、及び規定ブルーＢである。
【００４８】
基準色Ｓ１は、ポスターなどの最終成果物で印刷される画像の色域を網羅するように、設定（選択）することが重要である。従って、基準色Ｓ１の数は、規定シアンＣと規定マゼンタＭと規定イエローＹと規定レッドＲと規定グリーンＧと規定ブルーＢとからなる６色に限定されず、６色よりも多くてもよく、６色よりも少なくてもよい。より適正に（高精度に）色合わせを行うためには、基準色Ｓ１の数は多い方が好ましい。
【００４９】
さらに、基準色Ｓ１は、会社名の色（コーポレートカラー）などの特定の色（特定色）から選択してもよい。例えば、基準色Ｓ１をコーポレートカラーから選択すると、当該コーポレートカラーを厳密に（高精度に）印刷する色合わせが可能になる。
【００５０】
以降の説明では、特定カラーパッチＳＣの基準色Ｓ１が規定シアンＣで印刷された色可変チャート６０を、基準色Ｃの色可変チャート６０と称す。同様に、特定カラーパッチＳＣの基準色Ｓ１が規定マゼンタＭ、規定イエローＹ、規定レッドＲ、規定グリーンＧ、及び規定ブルーＢで印刷された色可変チャート６０を、それぞれ基準色Ｍの色可変チャート６０、基準色Ｙの色可変チャート６０、基準色Ｒの色可変チャート６０、基準色Ｇの色可変チャート６０、及び基準色Ｂの色可変チャート６０と称す。
【００５１】
ステップＳ１では、基準色Ｃの色可変チャート６０、基準色Ｍの色可変チャート６０、基準色Ｙの色可変チャート６０、基準色Ｒの色可変チャート６０、基準色Ｇの色可変チャート６０、及び基準色Ｂの色可変チャート６０を、５台のプリンター１１，１２，１３，１４，１５のそれぞれで媒体に印刷する。
【００５２】
ステップＳ２では、各基準色で印刷された色可変チャート６０と各基準色の規定の色見本とを目視で比較し、色可変チャート６０に印刷された特定カラーパッチＳＣ及び周囲カラーパッチＧＣのうち、規定の色見本と同じ色に印刷されたカラーパッチＳＣ，ＧＣを選択する。詳しくは、５台のプリンター１１，１２，１３，１４，１５のそれぞれで印刷された基準色Ｃの色可変チャート６０、基準色Ｍの色可変チャート６０、基準色Ｙの色可変チャート６０、基準色Ｒの色可変チャート６０、基準色Ｇの色可変チャート６０、及び基準色Ｂの色可変チャート６０に対して、規定の色見本と目視で比較し、規定の色見本と同じ色に印刷されたカラーパッチＳＣ，ＧＣを選択する。
【００５３】
なお、ステップＳ２では測色器を使用して、規定の色見本と同じ色に印刷されたカラーパッチを選択してもよい。目視で色を評価する方法は、測色器で色を評価する方法と比べて、簡単に且つ的確に色を評価し、規定の色見本と同じ色に印刷されたカラーパッチを効率的に選択することができる。
【００５４】
色可変チャート６０では、特定カラーパッチＳＣの周囲に近似した色のカラーパッチ（周囲カラーパッチＧＣ）が近くに配置されているので、特定カラーパッチＳＣを中心とする円の周方向に隣り合う周囲カラーパッチＧＣを順に見ることにより、規定の色見本と同じ色に印刷されたカラーパッチＳＣ，ＧＣを探しやすくなる。
【００５５】
ステップＳ３では、ステップＳ２で選択されたカラーパッチＳＣ，ＧＣから色変換テーブル５０を作成する。さらに、作成された色変換テーブル５０を記憶部１１４に記憶（格納）する。
【００５６】
図４に示すように、色変換テーブル５０は、５台のプリンター１１，１２，１３，１４，１５のそれぞれで、規定の色見本と同じ色に印刷されるカラーパッチＳＣ，ＧＣの色情報を有する。
【００５７】
同図に示すように、プリンター１１では、基準色Ｃの色可変チャート６０における色Ｇ９が規定シアンＣと同じ色であり、基準色Ｍの色可変チャート６０における色Ｇ６が規定マゼンタＭと同じ色であり、基準色Ｙの色可変チャート６０における色Ｇ３が規定イエローＹと同じ色であり、基準色Ｒの色可変チャート６０における色Ｇ４が規定レッドＲと同じ色であり、基準色Ｇの色可変チャート６０における色Ｇ２が規定グリーンＧと同じ色であり、基準色Ｂの色可変チャート６０における色Ｇ５が規定ブルーＢと同じ色である。
【００５８】
プリンター１２では、基準色Ｃの色可変チャート６０における色Ｇ４が規定シアンＣと同じ色であり、基準色Ｍの色可変チャート６０における色Ｇ５が規定マゼンタＭと同じ色であり、基準色Ｙの色可変チャート６０における色Ｇ８が規定イエローＹと同じ色であり、基準色Ｒの色可変チャート６０における色Ｇ２が規定レッドＲと同じ色であり、基準色Ｇの色可変チャート６０における色Ｇ６が規定グリーンＧと同じ色であり、基準色Ｂの色可変チャート６０における色Ｇ７が規定ブルーＢと同じ色である。
【００５９】
プリンター１３では、基準色Ｃの色可変チャート６０における色Ｇ１が規定シアンＣと同じ色であり、基準色Ｍの色可変チャート６０における色Ｇ３が規定マゼンタＭと同じ色であり、基準色Ｙの色可変チャート６０における色Ｇ２が規定イエローＹと同じ色であり、基準色Ｒの色可変チャート６０における色Ｇ６が規定レッドＲと同じ色であり、基準色Ｇの色可変チャート６０における色Ｇ２が規定グリーンＧと同じ色であり、基準色Ｂの色可変チャート６０における色Ｇ４が規定ブルーＢと同じ色である。
【００６０】
プリンター１４では、基準色Ｃの色可変チャート６０における色Ｇ１３が規定シアンＣと同じ色であり、基準色Ｍの色可変チャート６０における色Ｇ１０が規定マゼンタＭと同じ色であり、基準色Ｙの色可変チャート６０における色Ｇ８が規定イエローＹと同じ色であり、基準色Ｒの色可変チャート６０における色Ｇ９が規定レッドＲと同じ色であり、基準色Ｇの色可変チャート６０における色Ｇ１２が規定グリーンＧと同じ色であり、基準色Ｂの色可変チャート６０における色Ｇ１６が規定ブルーＢと同じ色である。
【００６１】
プリンター１５では、基準色Ｃの色可変チャート６０における色Ｇ４が規定シアンＣと同じ色であり、基準色Ｍの色可変チャート６０における色Ｇ１が規定マゼンタＭと同じ色であり、基準色Ｙの色可変チャート６０における色Ｇ３が規定イエローＹと同じ色であり、基準色Ｒの色可変チャート６０における色Ｇ２が規定レッドＲと同じ色であり、基準色Ｇの色可変チャート６０における色Ｇ５が規定グリーンＧと同じ色であり、基準色Ｂの色可変チャート６０における色Ｇ１が規定ブルーＢと同じ色である。
【００６２】
上述したように媒体の種類、及び温度や湿度などの環境条件などによって、印刷された画像の色合いが微妙に変化する。このため、本実施形態では、媒体の種類、及び温度や湿度などの環境条件などを変化させて色可変チャート６０を媒体に印刷し、当該色可変チャート６０と規定の色見本とを比較し、色変換テーブル５０を作成している。すなわち、色変換テーブル５０は、媒体の種類や環境条件などを変化させて印刷された色可変チャート６０から取得された色情報を有する。
【００６３】
「印刷データの作成」
図５は、印刷データを作成するフロー図である。図６は、他のプリンターの色補正処理のフロー図である。次に、図５及び図６を参照し、印刷データを作成する処理について説明する。
【００６４】
図５に示すように、印刷データを作成する処理は、解像度変換処理（ステップＳ１１）と、色変換処理（ステップＳ１２）と、色補正処理（色合わせ、ステップＳ１３）と、ハーフトーン処理（ステップＳ１４）と、ラスターライズ処理（ステップＳ１５）とを含む。
【００６５】
最初に、プリンタードライバーは、解像度変換処理（ステップＳ１１）を行う。解像度変換処理は、アプリケーションプログラムから出力された印刷データ（テキストデータ、イメージデータなど）を、紙に印刷する際の解像度に変換する処理である。例えば、印刷解像度が１４４０×７２０ｄｐｉに指定されている場合、アプリケーションから受け取ったベクター形式の印刷データを１４４０×７２０ｄｐｉの解像度の印刷データに変換する。
【００６６】
次に、プリンタードライバーは、色変換処理（ステップＳ１２）を行う。色変換処理は、ＲＧＢ色空間のデータを、プリンターのインクの色に対応した色空間のデータに変換する処理である。この色変換処理は、ＲＧＢデータの階調値とＣＭＹＫデータの階調値とを対応づけたテーブルをプリンタードライバーが参照することによって行われる。この色変換処理により、各画素についてのＲＧＢデータが、インク色に対応した色空間のデータに変換される。
【００６７】
次に、プリンタードライバーは、目標とする色が正しく印刷されるように色補正処理（ステップＳ１３）を行う。ステップＳ１３では、例えば、プリンター１１を基準のプリンターとし、プリンター１２，１３，１４，１５を他のプリンターとして、基準のプリンター１１に対する他のプリンター１２，１３，１４，１５の色補正処理を行う。換言すれば、色補正処理を行う補正値を取得する基準となるプリンターは、プリンター１１であり、５台のプリンター１１，１２，１３，１４，１５に含まれるプリンターのうちの１台である。つまり、ステップＳ１３では、基準のプリンター１１の色補正処理と、他のプリンター１２，１３，１４，１５の色補正処理とを含む。
なお、プリンター１１は「基準となる記録装置」の一例であり、他のプリンター１２，１３，１４，１５は「各記録装置」の一例である。さらに、色補正処理を行う補正値を取得する基準となるプリンターは、５台のプリンター１１，１２，１３，１４，１５の中から選択する場合、どのプリンターであってもよい。
【００６８】
最初に、基準のプリンター１１の色補正処理を説明する。
プリンタードライバーは、基準のプリンター１１に関する色変換テーブル５０を用いて、基準のプリンター１１の基準色（規定シアンＣ、規定マゼンタＭ、規定イエローＹ、規定レッドＲ、規定グリーンＧ、規定ブルーＢ）に関する色の補正を行う。詳しくは、基準色Ｃの色可変チャート６０における色Ｇ９が規定シアンＣと同じ色であるので（図４参照）、プリンタードライバーは、規定シアンＣが基準色Ｃの色可変チャート６０における色Ｇ９であるという色の補正を行う。さらに、プリンタードライバーは、基準のプリンター１１に関する色変換テーブル５０を用いて、規定マゼンタＭが基準色Ｍの色可変チャート６０における色Ｇ６であるという色の補正と、規定イエローＹが基準色Ｙの色可変チャート６０における色Ｇ３であるという色の補正と、規定レッドＲが基準色Ｒの色可変チャート６０における色Ｇ４であるという色の補正と、規定グリーンＧが基準色Ｇの色可変チャート６０における色Ｇ２であるという色の補正と、規定ブルーＢが基準色Ｂの色可変チャート６０における色Ｇ５であるという色の補正とを行う。
【００６９】
さらに、基準色（規定シアンＣ、規定マゼンタＭ、規定イエローＹ、規定レッドＲ、規定グリーンＧ、規定ブルーＢ）以外の色に関しては、プリンタードライバーは、色変換テーブル５０の基準色の色情報から基準色以外の色の補正値を類推し、基準のプリンター１１の基準色以外の色補正処理を行う。
【００７０】
次に、他のプリンター１２，１３，１４，１５の色補正処理を説明する。
図６に示すように、他のプリンター１２，１３，１４，１５の色補正処理は、基準のプリンター１１の色情報との差分から他のプリンター１２，１３，１４，１５の色を補正する補正値を取得する工程（ステップＳ２１）と、記憶された補正値により他のプリンター１２，１３，１４，１５の色を補正する工程（ステップＳ２２）とを含む。
なお、ステップＳ２１は、「基準となる記録装置と各記録装置との特性の差から求められた各記録装置の補正値を記憶する工程」の一例である。ステップＳ２２は、「記憶された補正値により印刷データの色を補正する工程」の一例である。
【００７１】
ステップＳ２１では、基準のプリンター１１で出力される色（色変換テーブル５０におけるプリンター１１の色情報）と、色変換テーブル５０における他のプリンター１２，１３，１４，１５の色情報との差分から、色補正処理を行う補正値を取得する。
【００７２】
詳しくは、基準色Ｃの色可変チャート６０において、規定シアンＣと同じ色に印刷された色は、基準のプリンター１１では色Ｇ９であり、他のプリンター１２では色Ｇ４であるので（図４参照）、色Ｇ９と色Ｇ４との差分から他のプリンター１２の規定シアンＣの補正値を取得する。
【００７３】
基準色Ｍの色可変チャート６０において、規定マゼンタＭと同じ色に印刷された色は、基準のプリンター１１では色Ｇ６であり、他のプリンター１２では色Ｇ５であるので（図４参照）、色Ｇ６と色Ｇ５との差分から他のプリンター１２の規定マゼンタＭの補正値を取得する。
【００７４】
基準色Ｙの色可変チャート６０において、規定イエローＹと同じ色に印刷された色は、基準のプリンター１１では色Ｇ３であり、他のプリンター１２では色Ｇ８であるので（図４参照）、色Ｇ３と色Ｇ８との差分から他のプリンター１２の規定イエローＹの補正値を取得する。
【００７５】
基準色Ｒの色可変チャート６０において、規定レッドＲと同じ色に印刷された色は、基準のプリンター１１では色Ｇ４であり、他のプリンター１２では色Ｇ２であるので（図４参照）、色Ｇ４と色Ｇ２との差分から他のプリンター１２の規定レッドＲの補正値を取得する。
【００７６】
基準色Ｇの色可変チャート６０において、規定グリーンＧと同じ色に印刷された色は、基準のプリンター１１では色Ｇ２であり、他のプリンター１２では色Ｇ６であるので（図４参照）、色Ｇ２と色Ｇ６との差分から他のプリンター１２の規定グリーンＧの補正値を取得する。
【００７７】
基準色Ｂの色可変チャート６０において、規定ブルーＢと同じ色に印刷された色は、基準のプリンター１１では色Ｇ５であり、他のプリンター１２では色Ｇ７であるので（図４参照）、色Ｇ５と色Ｇ７との差分から他のプリンター１２の規定ブルーＢの補正値を取得する。
【００７８】
上述した他のプリンター１２と同じ方法で、他のプリンター１３，１４，１５に関しても、各基準色（規定シアンＣ、規定マゼンタＭ、規定イエローＹ、規定レッドＲ、規定グリーンＧ、規定ブルーＢ）の補正値を取得する。
【００７９】
このように、各基準色の補正値は、基準のプリンター１１で出力される色（色変換テーブル５０におけるプリンター１１の色情報）と、色変換テーブル５０における他のプリンター１２，１３，１４，１５の色情報との差分から取得される。
さらに、ステップＳ２１では、取得された補正値をＰＣ１００の記憶部１１４に記憶（格納）する。
【００８０】
ステップＳ２２では、プリンタードライバーは、記憶部１１４に記憶された基準色の補正値を用いて、基準のプリンター１１と同様に、他のプリンター１２，１３，１４，１５が基準色（規定シアンＣ、規定マゼンタＭ、規定イエローＹ、規定レッドＲ、規定グリーンＧ、規定ブルーＢ）と同じ色が印刷されるように色補正処理を行う。さらに、基準色（規定シアンＣ、規定マゼンタＭ、規定イエローＹ、規定レッドＲ、規定グリーンＧ、規定ブルーＢ）以外の色に関しては、プリンタードライバーは、基準のプリンター１１と同様に、記憶部１１４に記憶された基準色の補正値から基準色以外の色の補正値を類推し、他のプリンター１２，１３，１４，１５の基準色以外の色補正処理を行う。
【００８１】
色変換テーブル５０は、環境条件を変化させて印刷された色可変チャート６０から取得された色情報を有するので、環境条件が変化した場合に正しい色が印刷されるように色補正処理を行うことができる。すなわち、ステップＳ１３の色補正処理は、プリンター１１，１２，１３，１４，１５が設置されている場所の環境情報を加えて補正することができる。
例えば、温度や湿度などの環境変化でインクの溶媒の蒸発速度が変化し、ドットの状態が変化する場合であっても、同じ色の画像が印刷されるように、色を補正することができる。
【００８２】
さらに、色変換テーブル５０は、媒体の種類を変化させて印刷された色可変チャート６０から取得された色情報を有するので、媒体の種類が変化した場合に、正しい色が印刷されるように色補正処理を行うことができる。すなわち、ステップＳ１３の色補正処理は、印刷に使用する媒体の情報を加えて補正することができる。
例えば、媒体が紙から布に変化し媒体へのインクの浸透速度が変化し、ドットの状態が変化した場合であっても、同じ色の画像が印刷されるように、色を補正することができる。
【００８３】
次に、プリンタードライバーは、ハーフトーン処理（ステップＳ１４）を行う。ハーフトーン処理は、例えば２５６階調の画素データを、プリンターが形成可能な階調数である４階調の画素データに変換する処理である。ハーフトーン処理後の４階調の画素データは、対応する画素に形成するドットの大きさを示すデータとなる。具体的には、大ドット・中ドット・小ドット・ドット無しのいずれかを示すデータになる。
【００８４】
最後に、プリンタードライバーは、ラスターライズ処理（ステップＳ１５）を行う。ラスターライズ処理は、マトリクス状の印刷データを、基準のプリンター１１に転送すべきデータ順に変更する処理である。
【００８５】
このように、ステップＳ１１〜ステップＳ１５、ステップＳ２１、及びステップＳ２２によって、印刷データを生成する。そして、プリンタードライバーは、印刷データを基準のプリンター１１及び他のプリンター１２，１３，１４，１５に送信する。印刷データに従って、基準のプリンター１１及び他のプリンター１２，１３，１４，１５は、それぞれ印刷処理を行う。
【００８６】
本実施形態では、ステップＳ１１〜ステップＳ１５、ステップＳ２１、及びステップＳ２２に示す印刷データの生成が、プリンター１１，１２，１３，１４，１５のそれぞれで並列処理（コンカレント処理）または逐次処理（シリアル処理）されるので、プリンター１１，１２，１３，１４，１５のそれぞれで同じ色の画像が印刷された最終成果物（製品）を同時または連続的に製造することができる
【００８７】
なお、同時に同じ色の画像が印刷された最終成果物を印刷するプリンターの数は任意に設定可能であり、例えば２台のプリンター１１，１２で同時に最終成果物を印刷してもよいし、３台のプリンター１１，１２，１３で同時に最終成果物を印刷してもよい。
【００８８】
「テストパターンによる色の評価」
本実施形態では、基準のプリンター１１及び他のプリンター１２，１３，１４，１５のそれぞれで色補正処理が正しくなされているかどうかを確認する、テストパターンによる色の評価を行う。なお、テストパターンによる色の評価は、液体噴射ヘッドの交換時や定期メンテナンスなどで実施すればよい。
【００８９】
詳しくは、基準のプリンター１１及び他のプリンター１２，１３，１４，１５のそれぞれでテストパターンを印刷する。例えば、基準色Ｓ１（規定シアンＣ、規定マゼンタＭ、規定イエローＹ、規定レッドＲ、規定グリーンＧ、規定ブルーＢ）や、コーポレートカラーなどの特定の色（特定色）などでテストパターンを印刷し、印刷されたテストパターンと規定の色見本とを比較し、基準のプリンター１１及び他のプリンター１２，１３，１４，１５のそれぞれで、目標とする色が正しく印刷されているかどうかを評価する。
【００９０】
なお、基準のプリンター１１及び他のプリンター１２，１３，１４，１５のそれぞれで目標とする色が正しく印刷されていない場合は、例えば基準色の数を多くし、色変換テーブル５０の色情報をより詳細に取得する。色変換テーブル５０における基準色の数を多くすると、より適正な（高精度な）色合わせが可能になり、基準のプリンター１１及び他のプリンター１２，１３，１４，１５のそれぞれで、目標とする色の画像を正しく（高精度に）印刷することができる。
【００９１】
上述したように、基準色Ｓ１を、例えばコーポレートカラーなどの特定の色（特定色）として色変換テーブル５０を作成し、特定の色（特定色）に基づく色情報から色の補正値を取得し、基準のプリンター１１及び他のプリンター１２，１３，１４，１５のそれぞれで目標とする色が正しく印刷されるように色補正処理を行ってもよい。さらに、評価する特定の色（特定色）の数を多くすることによっても、より適正な（高精度な）色合わせが可能になり、基準のプリンター１１及び他のプリンター１２，１３，１４，１５のそれぞれで、目標とする色の画像を正しく（高精度に）印刷することができる。
すなわち、特定の色（特定色）の色情報から色の補正値を取得する構成であってもよい。
【００９２】
さらに、色変換テーブル５０における基準色の数や特定色の数を多くすると、より適正な（高精度な）色合わせが可能になるので、上述したテストパターンによる色の評価を省略することができる。
【００９３】
例えば、コーポレートカラーは、会社や団体を象徴する重要な色であり、指定された色に高精度に（厳密に）色合わせする必要がある。さらに、厳密な色合わせが要求されない画像を含む場合は、厳密な色合わせが要求される画像に関してステップＳ１３の色補正処理を行い、厳密な色合わせが要求されない画像に関してはステップＳ１３の色補正処理を省略してもよい。
すなわち、ステップＳ１３の色補正処理では、厳密な色合わせが要求される一部の色を補正する構成であってもよい。
【００９４】
（実施形態２）
「印刷システムの概要」
図７は、実施形態２に係る印刷システムの全体構成を示す概略図である。図８は、画像データベースの一例を示す図である。
本実施形態に係る印刷システム２では、ＰＣ１００がサーバー３００に接続され、色補正処理を行うための画像データベース７０が、サーバー３００の記憶部３０１に記憶（格納）されており、この点が実施形態１に係る印刷システム１との主な相違点である。つまり、印刷システム２はＰＣ１００に接続可能なサーバー３００を有し、サーバー３００が基準となるプリンターと他のプリンターとの特性の差から色補正処理を行う画像データベース７０が記憶（格納）された記憶部３０１を有する。
【００９５】
以下、図７及び図８を参照し、本実施形態に係る印刷システム２を、実施形態１に係る印刷システム１との相違点を中心に説明する。また、実施形態１と同一の構成部位については、同一の符号を附し、重複する説明を省略する。
【００９６】
図７に示すように、本実施形態に係る印刷システム２は、サーバー３００と、ＰＣ１００と、５台のプリンター１１，１２，１３，１４，１５とを含む。ＰＣ１００とサーバー３００とは、インターネットなどのネットワーク２００を介して接続されている。ＰＣ１００と５台のプリンター１１，１２，１３，１４，１５とは、ローカルエリアネットワーク（ＬＡＮ）などのネットワーク２０を介して接続されている。
【００９７】
サーバー３００は、ネットワーク２００を介してＰＣ１００に接続された所謂クラウドコンピューティングにおけるネットワークサーバーである。サーバー３００は、記憶部３０１を有している。記憶部３０１には、規定の色見本の基準色や他の特定色と同じ色に印刷されるカラーパッチＳＣ，ＧＣの色情報、すなわちプリンターの印刷性能を特定し、色補正処理を行うための画像データベース７０が記憶（格納）されている。
【００９８】
ＰＣ１００のプリンタードライバーは、上述したステップＳ１〜ステップＳ３（図２参照）によって、プリンター１１，１２，１３，１４，１５のそれぞれで、色変換テーブル５０（図４参照）を作成（取得）する。さらに、ＰＣ１００は、作成された色変換テーブル５０を記憶部１１４に記憶する。
【００９９】
サーバー３００は、インターネットなどのネットワークを介して、プリンター１１，１２，１３，１４，１５以外の他のプリンターに接続されている。プリンター１１，１２，１３，１４，１５以外の他のプリンターで取得された色変換テーブル５０（色情報）が、サーバー３００に送信され、画像データベース７０に登録（蓄積）される。
【０１００】
換言すれば、サーバー３００は、プリンター１１，１２，１３，１４，１５以外の複数のプリンターで取得された複数の色情報を逐次受信し、当該色情報が画像データベース７０に逐次蓄積される。詳細は後述するが、画像データベース７０によって、プリンター１１，１２，１３，１４，１５のそれぞれで、色補正処理が行われる。
すなわち、本実施形態では、色補正処理を行う補正値を取得する基準となるプリンターは、５台のプリンター１１，１２，１３，１４，１５以外の他のプリンターである。この点も本実施形態に係る印刷システム２と実施形態１に係る印刷システム１との相違点である。なお、色補正処理を行う補正値を取得する基準となるプリンターは、サーバー３００に接続されているプリンターには限らない。サーバー３００に接続されていないプリンターを基準として色補正処理を行う補正値を取得してもよい。例えば、プリンターを製造するメーカーや、プリンターを販売等する業者が、基準として設定したプリンターを用いて取得した色補正処理を行う補正値を入手してサーバー３００に記憶させてもよい。
【０１０１】
図８に示すように、画像データベース７０には、上述した基準色Ｓ１（規定シアンＣ、規定マゼンタＭ、規定イエローＹ、規定レッドＲ、規定グリーンＧ、規定ブルーＢ）の色情報や、他の基準色の色情報（図示省略）、例えば色々な特定色の色情報が蓄積されている。さらに、画像データベース７０では、基準色Ｓ１の色情報や、色々な特定色の色情報などから、プリンターの印刷性能がタイプ別（タイプＡ〜タイプＦ）に分類されている。
【０１０２】
「プリンター印刷性能の特定と色補正処理」
ＰＣ１００のプリンタードライバーは、記憶部１１４に記憶されている色変換テーブル５０（図４参照）と、サーバー３００の記憶部３０１に記憶されている画像データベース７０とを比較し、プリンター１１，１２，１３，１４，１５のそれぞれが、どのタイプのプリンターに該当するのかを特定する。
【０１０３】
ＰＣ１００のプリンタードライバーは、図８に示す画像データベース７０の色情報から、タイプＡのプリンターでは、基準色Ｃの色可変チャート６０における色Ｇ９が規定シアンＣと同じ色に印刷され、基準色Ｍの色可変チャート６０における色Ｇ６が規定マゼンタＭと同じ色に印刷され、基準色Ｙの色可変チャート６０における色Ｇ３が規定イエローＹと同じ色に印刷され、基準色Ｒの色可変チャート６０における色Ｇ４が規定レッドＲと同じ色に印刷され、基準色Ｇの色可変チャート６０における色Ｇ２が規定グリーンＧと同じ色に印刷され、基準色Ｂの色可変チャート６０における色Ｇ５が規定ブルーＢと同じ色に印刷されるという情報を取得する。
さらに、ＰＣ１００のプリンタードライバーは、図４に示す色変換テーブル５０の色情報と比較し、プリンター１１はタイプＡのプリンターであると判断する。
【０１０４】
さらに、ＰＣ１００のプリンタードライバーは、画像データベース７０から、プリンター１１に対して、規定シアンＣが基準色Ｃの色可変チャート６０における色Ｇ９であるという色補正処理と、規定マゼンタＭが基準色Ｍの色可変チャート６０における色Ｇ６であるという色補正処理と、規定イエローＹが基準色Ｙの色可変チャート６０における色Ｇ３であるという色補正処理と、規定レッドＲが基準色Ｒの色可変チャート６０における色Ｇ４であるという色補正処理と、規定グリーンＧが基準色Ｇの色可変チャート６０における色Ｇ２であるという色補正処理と、規定ブルーＢが基準色Ｂの色可変チャート６０における色Ｇ５であるという色補正処理とを行う。
さらに、ＰＣ１００のプリンタードライバーは、画像データベース７０の色々な特定色の色情報から、プリンター１１に対して、色々な特定色に関する色補正処理を行う。
【０１０５】
ＰＣ１００のプリンタードライバーは、図８に示す画像データベース７０の色情報から、タイプＢのプリンターでは、基準色Ｃの色可変チャート６０における色Ｇ４が規定シアンＣと同じ色に印刷され、基準色Ｍの色可変チャート６０における色Ｇ５が規定マゼンタＭと同じ色に印刷され、基準色Ｙの色可変チャート６０における色Ｇ８が規定イエローＹと同じ色に印刷され、基準色Ｒの色可変チャート６０における色Ｇ２が規定レッドＲと同じ色に印刷され、基準色Ｇの色可変チャート６０における色Ｇ６が規定グリーンＧと同じ色に印刷され、基準色Ｂの色可変チャート６０における色Ｇ７が規定ブルーＢと同じ色に印刷されるという情報を取得する。
さらに、ＰＣ１００のプリンタードライバーは、図４に示す色変換テーブル５０の色情報と比較し、プリンター１２はタイプＢのプリンターであると判断する。
【０１０６】
さらに、ＰＣ１００のプリンタードライバーは、画像データベース７０から、プリンター１２に対して、規定シアンＣが基準色Ｃの色可変チャート６０における色Ｇ４であるという色補正処理と、規定マゼンタＭが基準色Ｍの色可変チャート６０における色Ｇ５であるという色補正処理と、規定イエローＹが基準色Ｙの色可変チャート６０における色Ｇ８であるという色補正処理と、規定レッドＲが基準色Ｒの色可変チャート６０における色Ｇ２であるという色補正処理と、規定グリーンＧが基準色Ｇの色可変チャート６０における色Ｇ６であるという色補正処理と、規定ブルーＢが基準色Ｂの色可変チャート６０における色Ｇ７であるという色補正処理とを行う。
さらに、ＰＣ１００のプリンタードライバーは、画像データベース７０の色々な特定色の色情報から、プリンター１２に対して、色々な特定色に関する色補正処理を行う。
【０１０７】
ＰＣ１００のプリンタードライバーは、図８に示す画像データベース７０の色情報から、タイプＣのプリンターでは、基準色Ｃの色可変チャート６０における色Ｇ１が規定シアンＣと同じ色に印刷され、基準色Ｍの色可変チャート６０における色Ｇ３が規定マゼンタＭと同じ色に印刷され、基準色Ｙの色可変チャート６０における色Ｇ２が規定イエローＹと同じ色に印刷され、基準色Ｒの色可変チャート６０における色Ｇ６が規定レッドＲと同じ色に印刷され、基準色Ｇの色可変チャート６０における色Ｇ２が規定グリーンＧと同じ色に印刷され、基準色Ｂの色可変チャート６０における色Ｇ４が規定ブルーＢと同じ色に印刷されるという情報を取得する。
さらに、ＰＣ１００のプリンタードライバーは、図４に示す色変換テーブル５０の色情報と比較し、プリンター１３はタイプＣのプリンターであると判断する。
【０１０８】
さらに、ＰＣ１００のプリンタードライバーは、画像データベース７０から、プリンター１３に対して、規定シアンＣが基準色Ｃの色可変チャート６０における色Ｇ１であるという色補正処理と、規定マゼンタＭが基準色Ｍの色可変チャート６０における色Ｇ３であるという色補正処理と、規定イエローＹが基準色Ｙの色可変チャート６０における色Ｇ２であるという色補正処理と、規定レッドＲが基準色Ｒの色可変チャート６０における色Ｇ６であるという色補正処理と、規定グリーンＧが基準色Ｇの色可変チャート６０における色Ｇ２であるという色補正処理と、規定ブルーＢが基準色Ｂの色可変チャート６０における色Ｇ４であるという色補正処理とを行う。
さらに、ＰＣ１００のプリンタードライバーは、画像データベース７０の色々な特定色の色情報から、プリンター１３に対して、色々な特定色に関する色補正処理を行う。
【０１０９】
ＰＣ１００のプリンタードライバーは、図８に示す画像データベース７０の色情報から、タイプＤのプリンターでは、基準色Ｃの色可変チャート６０における色Ｇ１３が規定シアンＣと同じ色に印刷され、基準色Ｍの色可変チャート６０における色Ｇ１０が規定マゼンタＭと同じ色に印刷され、基準色Ｙの色可変チャート６０における色Ｇ８が規定イエローＹと同じ色に印刷され、基準色Ｒの色可変チャート６０における色Ｇ９が規定レッドＲと同じ色に印刷され、基準色Ｇの色可変チャート６０における色Ｇ１２が規定グリーンＧと同じ色に印刷され、基準色Ｂの色可変チャート６０における色Ｇ１６が規定ブルーＢと同じ色に印刷されるという情報を取得する。
さらに、ＰＣ１００のプリンタードライバーは、図４に示す色変換テーブル５０の色情報と比較し、プリンター１４はタイプＤのプリンターであると判断する。
【０１１０】
さらに、ＰＣ１００のプリンタードライバーは、画像データベース７０から、プリンター１４に対して、規定シアンＣが基準色Ｃの色可変チャート６０における色Ｇ１３であるという色補正処理と、規定マゼンタＭが基準色Ｍの色可変チャート６０における色Ｇ１０であるという色補正処理と、規定イエローＹが基準色Ｙの色可変チャート６０における色Ｇ８であるという色補正処理と、規定レッドＲが基準色Ｒの色可変チャート６０における色Ｇ９であるという色補正処理と、規定グリーンＧが基準色Ｇの色可変チャート６０における色Ｇ１２であるという色補正処理と、規定ブルーＢが基準色Ｂの色可変チャート６０における色Ｇ１６であるという色補正処理とを行う。
さらに、ＰＣ１００のプリンタードライバーは、画像データベース７０の色々な特定色の色情報から、プリンター１４に対して、色々な特定色に関する色補正処理を行う。
【０１１１】
ＰＣ１００のプリンタードライバーは、図８に示す画像データベース７０の色情報から、タイプＥのプリンターでは、基準色Ｃの色可変チャート６０における色Ｇ４が規定シアンＣと同じ色に印刷され、基準色Ｍの色可変チャート６０における色Ｇ１が規定マゼンタＭと同じ色に印刷され、基準色Ｙの色可変チャート６０における色Ｇ３が規定イエローＹと同じ色に印刷され、基準色Ｒの色可変チャート６０における色Ｇ２が規定レッドＲと同じ色に印刷され、基準色Ｇの色可変チャート６０における色Ｇ５が規定グリーンＧと同じ色に印刷され、基準色Ｂの色可変チャート６０における色Ｇ１が規定ブルーＢと同じ色に印刷されるという情報を取得する。
さらに、ＰＣ１００のプリンタードライバーは、図４に示す色変換テーブル５０の色情報と比較し、プリンター１５はタイプＥのプリンターであると判断する。
【０１１２】
さらに、ＰＣ１００のプリンタードライバーは、画像データベース７０から、プリンター１５に対して、規定シアンＣが基準色Ｃの色可変チャート６０における色Ｇ４であるという色補正処理と、規定マゼンタＭが基準色Ｍの色可変チャート６０における色Ｇ１であるという色補正処理と、規定イエローＹが基準色Ｙの色可変チャート６０における色Ｇ３であるという色補正処理と、規定レッドＲが基準色Ｒの色可変チャート６０における色Ｇ２であるという色補正処理と、規定グリーンＧが基準色Ｇの色可変チャート６０における色Ｇ５であるという色補正処理と、規定ブルーＢが基準色Ｂの色可変チャート６０における色Ｇ１であるという色補正処理とを行う。
さらに、ＰＣ１００のプリンタードライバーは、画像データベース７０の色々な特定色の色情報から、プリンター１５に対して、色々な特定色に関する色補正処理を行う。
【０１１３】
このように、本実施形態では、ＰＣ１００のプリンタードライバーは、ＰＣ１００の記憶部１１４に格納されている色変換テーブル５０と、サーバー３００の記憶部３０１に格納されている画像データベース７０とを比較し、プリンター１１，１２，１３，１４，１５のそれぞれの印刷性能を特定する（どのタイプのプリンターに該当するのかを特定する）。さらに、サーバー３００の記憶部３０１に格納されている画像データベース７０から色補正処理を行う補正値を取得し、プリンター１１，１２，１３，１４，１５のそれぞれで目標とする色が正しく印刷されるように、色補正処理を行う。
【０１１４】
画像データベース７０には、基準色Ｓ１（規定シアンＣ、規定マゼンタＭ、規定イエローＹ、規定レッドＲ、規定グリーンＧ、規定ブルーＢ）に関する色情報以外に、色々な（多様な）色に関する色情報が蓄積されているので、色々な（多様な）色に関してより適正な色補正処理を行うことができる。
すなわち、本実施形態に係る印刷システム２では、実施形態１に係る印刷システム１と比べてより適正に（高精度に）色補正処理（色合わせ）が可能であり、目標とする色をより正しく印刷することができる。
【符号の説明】
【０１１５】
１，２…印刷システム、１１，１２，１３，１４，１５…プリンター、５０…色変換テーブル、６０…色可変チャート、７０…画像データベース、１００…パーソナルコンピューター、１１２…表示部、１１３…制御部、１１４…記憶部、２０，２００…ネットワーク、３００…サーバー、３０１…記憶部、ＳＣ…特定カラーパッチ、ＧＣ…周囲カラーパッチ。
【図１】
2016139223.tif 000003
【図２】
2016139223.tif 000004
【図３】
2016139223.tif 000005
【図４】
2016139223.tif 000006
【図５】
2016139223.tif 000007
【図６】
2016139223.tif 000008
【図７】
2016139223.tif 000009
【図８】
2016139223.tif 000010